(57)【要約】      （修正有）【課題】軽量な筐体を備えた画像形成装置を提供する。【解決手段】画像形成装置１は、画像形成部が収容される中空部を有する筐体２を備えている。前記筐体２は、角パイプで形成された枠体３及び５で構成されている。前記枠体３及び５に、前記画像形成部を構成する複数のユニット１００、２００が支持されている。複数の前記ユニットは、一定の順序で前記枠体に支持され、複数の前記ユニットの内の前記枠体に最初に支持される基準ユニットは、前記枠体に対して位置決めされる。【選択図】図４
2020042126.tif 000002
【特許請求の範囲】
【請求項１】
画像形成部が収容される中空部を有する筐体を備える画像形成装置であって、
前記筐体は、角パイプで形成された枠体で構成され、
前記枠体に、前記画像形成部を構成する複数のユニットが支持されていることを特徴とする画像形成装置。
【請求項２】
複数の前記ユニットは、一定の順序で前記枠体に支持され、
複数の前記ユニットの内の前記枠体に最初に支持される基準ユニットは、前記枠体に対して位置決めされ、前記基準ユニット以降に前記枠体に支持される前記ユニットは、直前に前記枠体に支持された前記ユニットに対して順次位置決めされていくことを特徴とする請求項１に記載の画像形成装置。
【請求項３】
前記基準ユニットは、用紙を搬送する搬送ユニットであり、該搬送ユニットの次に前記枠体に支持されるユニットは、前記搬送ユニットを駆動する搬送駆動ユニットであることを特徴とする請求項２に記載の画像形成装置。
【請求項４】
前記枠体は水平方向に延びる角パイプを有し、該角パイプの中空部には、搬送用の取っ手が引き出し可能に収容されていることを特徴とする請求項１〜３のいずれか１項に記載の画像形成装置。
【発明の詳細な説明】
【技術分野】
【０００１】
本発明は、画像形成部を収容する筐体を備えた画像形成装置に関する。
【背景技術】
【０００２】
画像形成装置において、画像形成部が収容される筐体は、骨格構造体（枠体）と、骨格構造体の側面を覆う側板等で構成されている。骨格構造体は断面形状がコの字状の板金で形成され、側板や底板も板状の板金で形成されるのが一般的である。このような筐体では、画像形成部を構成するユニットが骨格構造体や側板に取り付けられるようになっている。すると、ユニットと側板とが重なって、その重なり分だけ重量が重くなってしまう。
【０００３】
そこで、特許文献１には、骨格構造体として、角パイプと板金プレス部品と溶接して締結した溶接構造体を備える画像形成装置が記載されている。この画像形成装置では、プロッタエンジン部（搬送系、作像プロセス系、定着系、レーザ書き込み系等のユニット）が組み込まれたモールドフレームがベースに固定されている。溶接構造体は、このベースに上側から取り付けられている。
【先行技術文献】
【特許文献】
【０００４】
【特許文献１】特開平１１−２５８８８５号公報
【発明の概要】
【発明が解決しようとする課題】
【０００５】
しかしながら特許文献１に記載されている画像形成装置においては、溶接構造体に、角パイプだけでなく板金プレス部品も含まれるので、溶接構造体の十分な軽量化は図れない。また、プロッタエンジン部に含まれる各ユニットは、モールドフレームに組み込まれ、さらに、このモールドフレームがベースに固定されている。このように、各ユニットは、モールドフレームやベースを介して溶接構造体に支持されることになるので、モールドフレームやベースの重量が加算されてしまい、画像形成装置全体としても十分な軽量化は図れない。
【０００６】
本発明は上記事情を考慮し、軽量な筐体を備えた画像形成装置を提供することを目的とする。
【課題を解決するための手段】
【０００７】
上記課題を解決するため、本発明の画像形成装置は、画像形成部が収容される中空部を有する筐体を備える画像形成装置であって、前記筐体は、角パイプで形成された枠体で構成され、前記枠体に、前記画像形成部を構成する複数のユニットが支持されていることを特徴とする。
【０００８】
本発明の画像形成装置において、複数の前記ユニットは、一定の順序で前記枠体に支持され、複数の前記ユニットの内の前記枠体に最初に支持される基準ユニットは、前記枠体に対して位置決めされ、前記基準ユニット以降に前記枠体に支持される前記ユニットは、直前に前記枠体に支持された前記ユニットに対して順次位置決めされていくことを特徴ととしてもよい。
【０００９】
本発明の画像形成装置において、前記基準ユニットは、用紙を搬送する搬送ユニットであり、該搬送ユニットの次に前記枠体に支持されるユニットは、前記搬送ユニットを駆動する搬送駆動ユニットであることを特徴としてもよい。
【００１０】
本発明の画像形成装置において、前記枠体は水平方向に延びる角パイプを有し、該角パイプの中空部には、搬送用の取っ手が引き出し可能に収容されていることを特徴としてもよい。
【発明の効果】
【００１１】
本発明によれば、筐体が、角パイプで形成された枠体で形成されているので、筐体を軽量化できる。
【図面の簡単な説明】
【００１２】
【図１】本発明の一実施形態に係る画像形成装置の筐体を示す斜視図である。
【図２】本発明の一実施形態に係る画像形成装置の筐体の位置決め部と締結部を示す斜視図である。
【図３】本発明の一実施形態に係る画像形成装置の筐体の連結部を示す斜視図である。
【図４】本発明の一実施形態に係る画像形成装置において、搬送ユニットと搬送駆動ユニットが支持された筐体を示す斜視図である。
【図５Ａ】本発明の一実施形態に係る画像形成装置において、搬送ユニットを右後側から見たから見た斜視図である。
【図５Ｂ】本発明の一実施形態に係る画像形成装置において、搬送ユニットを右前側から見た斜視図である。
【図６Ａ】本発明の一実施形態に係る画像形成装置において、搬送駆動ユニットを左後側から見た斜視図である。
【図６Ｂ】本発明の一実施形態に係る画像形成装置において、搬送駆動ユニットを左前側から見た斜視図である。
【図７】本発明の一実施形態に係る画像形成装置において、搬送ユニットの位置決め部と筐体の位置決め部とを示す斜視図である。
【図８】本発明の一実施形態に係る画像形成装置において、搬送ユニットが支持された筐体を示す斜視図である。
【図９】本発明の一実施形態に係る画像形成装置において、搬送駆動ユニットの位置決め部及び連結部と、搬送ユニットの位置決め部と、筐体の連結部とを示す斜視図である。
【図１０Ａ】本発明の一実施形態に係る画像形成装置において、筐体と取っ手とを示す斜視図である。
【図１０Ｂ】本発明の一実施形態に係る画像形成装置において、筐体の角パイプに収容される取っ手を示す斜視図である。
【図１１】本発明の一実施形態に係る画像形成装置において、筐体の組み立てに使用される冶具を示す斜視図である。
【図１２】本発明の一実施形態に係る画像形成装置において、冶具を示す断面図である。
【発明を実施するための形態】
【００１３】
以下、図面を参照しつつ、本発明の一実施形態に係る画像形成装置について説明する。
【００１４】
まず、図１を用いて画像形成装置１の筐体２について説明する。図１は、筐体を示す斜視図である。以下、図１における紙面手前側を画像形成装置（筐体）の正面側（前側）とする。各図に示すＦｒ、Ｒｒ、Ｌ、Ｒは、それぞれ画像形成装置の前側、後側、左側、右側を示す。
【００１５】
筐体２は、画像形成部が収容される中空部Ｓを備えている。画像形成部は、複数のユニット（詳細後述）で構成されている。
【００１６】
筐体２は、中空部Ｓの略下半分（下側中空部Ｓ１）を有する下枠体３と、中空部Ｓの略上半分（上側中空部Ｓ２）を有する上枠体５と、を有している。下枠体３と上枠体５とは、それぞれ角パイプで形成されている。角パイプは、４つの側面を持ち、矩形の中空部を有する支柱である。なお、角パイプは、一つの側面に長手方向に沿ったスリットが形成された、断面が略コの字状（Ｃ字状）のパイプを含む。
【００１７】
下枠体３は、下側中空部Ｓ１の四隅（前左隅、前右隅、後左隅、後右隅）にそれぞれ配置される４本の下支柱１１ＦＬ、１１ＦＲ、１１ＲＬ、１１ＲＲと、下側中空部Ｓ１の下面に配置される基礎枠１３と、下側中空部Ｓ１の上面に配置される天井枠１５と、基礎枠１３と天井枠１５との中間に配置される補助枠１７と、を有している。
【００１８】
基礎枠１３は、左側の２本の支柱１１ＦＬ及び１１ＲＬの下端を接続する左側の下梁１３Ｌと、右側の２本の支柱１１ＦＲ及び１１ＲＲの下端を接続する右側の下梁１３Ｒと、左右の下梁１３Ｌ及び１３Ｒの前端よりもやや後方の部分間を接続する前側の下梁１３Ｆと、左右の下梁１３Ｌ及び１３Ｒの後端よりもやや前方の部分間を接続する後側の下梁１３Ｒｒと、を有している。
【００１９】
左側の２本の支柱１１ＦＬ及び１１ＲＬの下端面は、左側の下梁１３Ｌの上面の前端部と後端部とに、それぞれ垂直に溶接されている。右側の２本の支柱１１ＦＲ及び１１ＲＲの下端面は、右側の下梁１３Ｒの上面の前端部と後端部とに、それぞれ垂直に溶接されている。前側の下梁１３Ｆの上面の左端部と右端部とは、それぞれ左側の下梁１３Ｌの下面と、右側の下梁１３Ｒの下面とに、垂直に溶接されている。後側の下梁１３Ｒｒの上面の左端部と右端部とは、それぞれ左側の下梁１３Ｌの下面と、右側の下梁１３Ｒの下面とに、垂直に溶接されている。
【００２０】
天井枠１５は、左側の２本の支柱１１ＦＬ及び１１ＲＬの上端を接続する左側の上梁１５Ｌと、前側の２本の支柱１１ＦＬ及び１１ＦＲの上端を接続する前側の上梁１５Ｆと、後側の２本の支柱１１ＲＬ及び１１ＲＲの上端を接続する後側の上梁１５Ｒｒと、前後の上梁１５Ｆ及び１５Ｒｒの右端よりもやや左側の部分間を接続する右側の上梁１５Ｒと、を有している。
【００２１】
左側の２本の支柱１１ＦＬ及び１１ＲＬの上端面は、左側の上梁１５Ｌの下面に垂直に溶接されている。右側の２本の支柱１１ＦＬ及び１１ＲＲの上端面は、前側の上梁１５Ｆと後側の上梁１５Ｒｒの下面に、それぞれ垂直に溶接されている。前後の上梁１５Ｆ及び１５Ｒｒの左端面は、左側の上梁１５Ｌの右面に、それぞれ垂直に溶接されている。右側の上梁１５Ｒの上面の前端部と後端部とは、前側の上梁１５Ｆの下面と後側の上梁１５Ｒｒの下面に、それぞれ直角に溶接されている。
【００２２】
補助枠１７は、左側の２本の支柱１１ＦＬ及び１１ＲＬを接続する左側の補助梁１７Ｌと、後側の２本の支柱１１ＲＬ及び１１ＲＲを接続する後側の補助梁１７Ｒｒと、を有している。左側の補助梁１７Ｌの前端面と後端面とは、前側の支柱１１ＦＬの後面と後側の支柱１１ＲＬの前面とに、それぞれ垂直に溶接されている。後側の補助梁１７Ｒｒの左端面と右端面とは、左側の支柱１１ＲＬの右面と右側の支柱１１ＲＲの左面とに、それぞれ垂直に溶接されている。
【００２３】
上枠体５は、上側中空部Ｓ２の四隅（前左隅、前右隅、後左隅、後右隅）にそれぞれ配置される４本の上支柱２１ＦＬ、２１ＦＲ、２１ＲＬ、２１ＲＲと、上側中空部Ｓ２の下面に配置される基礎枠２３と、上側中空部Ｓ２の上面に配置される天井枠２５と、基礎枠２３と天井枠２５との中間に配置される補助枠２７と、を有している。
【００２４】
基礎枠２３は、前側の２本の支柱２１ＦＬ及び２１ＦＲの下端を接続する前側の下梁２３Ｆと、後側の２本の支柱２１ＲＬ及び２１ＲＲの下端を接続する後側の下梁２３Ｒｒと、左側の２本の支柱２１ＦＬ及び２１ＲＬの下端を接続する左側の下梁２３Ｆと、を有している。
【００２５】
前側の２本の支柱２１ＦＬ及び２１ＦＲの下端面は、前側の下梁２３Ｆの上面に、垂直に溶接されている。後側の２本の支柱２１ＲＬ及び２１ＲＲの下端面は、後側の下梁２３Ｒｒの上面に、それぞれ垂直に溶接されている。左側の下梁２３Ｆの前端面と後端面は、前側の下梁２３Ｆの後面と後側の下梁２３Ｒｒの前面に、それぞれ垂直に溶接されている。
【００２６】
天井枠２５は、前側の２本の支柱２１ＦＬ及び２１ＦＲの上端を接続する前側の上梁２５Ｆと、後側の２本の支柱２１ＲＬ及び２１ＲＲの上端を接続する後側の上梁２５Ｒｒと、前後の上梁２５Ｆ及び２５Ｒｒの左端よりもやや右側の部分を接続する左側の上梁２５Ｌと、前後の上梁２５Ｆ及び２５Ｒｒの右端よりもやや左側の部分を接続する右側の上梁２５Ｒと、を有している。
【００２７】
前側の２本の支柱２１ＦＬ及び２１ＦＲの上端面は、前側の上梁２５Ｆの下端面に、垂直に溶接されている。後側の２本の支柱２１ＲＬ及び２１ＲＲの上端面は、後側の上梁２５Ｒｒの下端面に、垂直に溶接されている。左側の上梁２５Ｌの前端面と後端面とは、前側の上梁２５Ｆの後面と後側の上梁２５Ｒｒの前面とに、それぞれ垂直に溶接されている。右側の上梁２５Ｒの前端面と後端面とは、前側の上梁２５Ｆの後面と後側の上梁２５Ｒｒの前面とに、それぞれ垂直に溶接されている。
【００２８】
補助枠２７は、前側の２本の支柱２１ＦＬ及び２１ＦＲを接続する前側の補助梁２７Ｆと、後側の２本の支柱２１ＲＬ及び２１ＲＲを接続する後側の補助梁２７Ｒｒと、左側の２本の支柱２１ＦＬ及び２１ＲＬを接続する左側の補助梁２７Ｌと、前後の補助梁２７Ｆ及び２７Ｒｒの左右方向中央よりもやや右側の部分を接続する右側の補助梁２７Ｒと、を有している。
【００２９】
前側の補助梁２７Ｆの左端面と右端面とは、左側の支柱２１ＦＬの右面と右側の支柱２１ＦＲの左面とに、それぞれ垂直に溶接されている。後側の補助梁２７Ｒｒの左端面と右端面とは、左側の支柱２１ＲＬの右面と右側の支柱２１ＲＲの左面とに、それぞれ垂直に溶接されている。左側の補助梁２７Ｌの前端面と後端面とは、前側の支柱２１ＦＬの後面と後側の支柱２１ＲＬの前面とに、それぞれ垂直に溶接されている。右側の補助梁２７Ｒの下面の前端部と後端部とは、前側の補助梁２７Ｆの上面と後側の補助梁２７Ｒｒの上面とに、それぞれ垂直に溶接されている。
【００３０】
下枠体３と上枠体５とは、４個の接続部材９を介して上下方向に連結されている。４個の接続部材９は、下枠体３の４本の支柱１１ＦＬ、１１ＦＲ、１１ＲＬ、１１ＲＲの上端と、上枠体５の４本の支柱２１ＦＬ、２１ＦＲ、２１ＲＬ、２１ＲＲの下端部との間に固定されている。
【００３１】
次に、図２及び図３を参照して、筐体２に設けられている位置決め部と締結部と連結部の一部について説明する。図２及び図３は筐体の一部を示す斜視図である。ここでは、一番目に筐体２に支持される基準ユニットを位置決めする位置決め部と、基準ユニットと締結される締結部と、二番目に筐体２に支持されるユニットと連結される連結部と、について説明する。
【００３２】
図２に示されるように、下枠体３の前右隅の支柱１１ＦＲの前面には、位置決め部としての２つの穴３１が、上下方向に間隔を開けて形成されている。さらに、下枠体３の後側の上梁１５Ｒｒの前面の右端部（右側の上梁１５Ｒよりも右側の部分）と、下枠体３の後側の補助梁１７Ｒｒの前面の右端部（右側の上梁１５Ｒよりも右側の部分）には、それぞれ位置決め部としての穴３３及び３５が形成されている。また、下枠体３の前右隅の支柱１１ＦＲの前面には、締結部としての３つのビス穴３７が上下方向に間隔を開けて形成されている。さらに、下枠体３の右側の上梁１５Ｒの右面の後端部には、締結部としての１つのビス穴３７が形成されている。
【００３３】
図３に示されるように、上枠体５の後側の補助梁２７Ｒｒの後面の右端部には、連結部としての穴４１が形成されている。
【００３４】
次に、画像形成部を構成する複数のユニットについて、図４を参照して説明する。
複数のユニットは、搬送ユニット１００と、搬送駆動ユニット２００と、読取ユニットと、書込ユニットと、画像形成ユニットと、定着ユニットと、排出ユニットと、を含んでいる（図４には、搬送ユニット１００と搬送駆動ユニット２００のみ図示）。複数のユニットは、一定の順序で筐体２に支持されるようになっている。本実施形態では、一番目に搬送ユニット１００が筐体２に支持され、二番目に搬送駆動ユニット２００が筐体２に支持される。一番目に筐体２に支持されるユニット（搬送ユニット１００）を基準ユニットとする。以降、搬送ユニット１００と搬送駆動ユニット２００とについて説明し、それ以降に筐体２に支持されるユニットについては説明を省略する。
【００３５】
次に、図５Ａ及び図５Ｂを参照して、搬送ユニット１００について説明する。図５Ａ及び図５Ｂは搬送ユニットを示す斜視図である。
【００３６】
搬送ユニット１００は、用紙の一方の面をガイドするガイド板１００ａと、ガイド板１００ａを前後から挟む前側板１００ｂと後側板１００ｃと、を有しており、図４に示されるように、下枠体３の右側の側面に装着されるようになっている（詳細後述）。
【００３７】
ガイド板１００ａには、搬送ローラー（図示省略）が回転可能に支持されている。ガイド板１００ａの後面の後上隅には、筐体２との締結部としての穴１３７が形成されている。
【００３８】
前側板１００ｂには、右縁に沿って取付板１００ｄが固定されている。取付板１００ｄの後側の面は平面状である。取付板１００ｄの後面の上端部と下端部とには、筐体２に対する位置決め部としてのボス１３１がそれぞれ立設されている。さらに、取付板１００ｄには、筐体２との締結部としての３つの穴１３７が、上下方向に所定の間隔を開けて形成されている。
【００３９】
後側板１００ｃの後面の上端部と、高さ方向の中央よりもやや下方の下部とには、左右方向に沿った取付板１００ｅ及び１００ｆが固定されている。取付板１００ｅ及び１００ｆの後面は平面状である。取付板１００ｅ及び１００ｆには、筐体２に対する位置決め部としてのボス１３３及び１３５がそれぞれ立設されている。
【００４０】
さらに、後側板１００ｃの後面の上部には、二番目に筐体２に支持される搬送駆動ユニット２００を位置決めする位置決め部としての穴１３９が形成されている。
【００４１】
次に、図６Ａ及び図６Ｂを参照して、搬送駆動ユニット２００について説明する。図６Ａ及び図６Ｂは、搬送駆動ユニットを示す斜視図である。
【００４２】
搬送駆動ユニット２００は、搬送ユニット１００の搬送ローラーを駆動するためのモーターと、モーターの駆動を制御する制御基板と、が支持された支持プレート２００ａを有しており、図４に示されるように、下枠体３及び上枠体５の後側の側面に装着されるようになっている（詳細後述）。
【００４３】
支持プレート２００ａの前面の下部には、搬送ユニット１００に対する位置決め部としてのボス２３９が立設されている。さらに、支持プレート２００ａの前面の上部には、筐体２との連結部としてのボス２４１が立設されている。
【００４４】
上記構成を有する筐体２に搬送ユニット１００と搬送駆動ユニット２００を支持させる手順について、図７〜図９を参照して説明する。図７〜図９は、筐体等を示す斜視図である。
【００４５】
まず、搬送ユニット１００を筐体２に位置決めする。最初に、図７に示されるように、下枠体３の前右隅の支柱１１ＦＲに形成された２つの穴３１に、搬送ユニット１００の前側の側板１００ｂの取付板１００ｄに形成された２つのボス１３１を前側から挿入すると共に、下枠体３の後側の上梁１５Ｒｒと後側の補助梁１７Ｒｒにそれぞれ形成された穴３３及び３５に、搬送ユニット１００の後側の側板１００ｃの取付板１００ｅ及び１００ｆにそれぞれ形成されたボス１３３及び１３５を前側から挿入する。この際、取付板１００ｄ、１００ｅ、１００ｆの後面と、支柱１１ＦＲ、上梁１５Ｒｒ、補助梁１７Ｒｒの前面とが互いに接触する。
【００４６】
なお、下側の穴３１及びこの穴３１に挿入された下側のボス１３１は、上側の穴３１及びこの穴３１に挿入された上側のボス１３１を中心とする前側の側板１００ｂの回転止めである。また、下側の穴３５及びこの穴３５に挿入された下側のボス１３５は、上側の穴３３及びこの穴３３に挿入された上側のボス１３３を中心とする後側の側板１００ｃの回転止めである。
【００４７】
これにより、搬送ユニット１００が筐体２に対して位置決めされる。
【００４８】
次に、搬送ユニット１００を筐体２にビスで締結する。前述のように搬送ユニット１００が筐体２に位置決めされると、搬送ユニット１００の前側の側板１００ｂに形成された３つの穴１３７と、下枠体３の前右隅の支柱１１ＦＲに形成された３つのビス穴３７とが連通する。そこで、ビスを右側から各穴１３７を通して各ビス穴３７に締結する。さらに、搬送ユニット１００のガイド板１００ａに形成された穴１３７が、下枠体３の右側の上梁１５Ｒのビス穴３７に連通する。そこで、ビスを右側から穴１３７を通してビス穴３７に締結する。これにより、図８に示されるように、搬送ユニット１００が筐体２（下枠体３）に固定される。
【００４９】
次に、搬送駆動ユニット２００を搬送ユニット１００に対して位置決めする。まず、図９に示されるように、搬送駆動ユニット２００のボス２３９を、筐体２に固定された搬送ユニット１００の後側の側板１００ｃの穴１３９に後側から挿入し、搬送駆動ユニット２００のボス２４１を、上枠体５の後側の補助梁２７Ｒｒの穴４１に後側から挿入する。これにより、搬送駆動ユニット２００が、搬送ユニット１００に対して位置決めされる。なお、補助梁２７Ｒｒの穴４１及びこの穴４１に挿入されたボス２４１は、搬送ユニット１００の穴１３９及びこの穴１３９に挿入されたボス２３９を中心とする搬送駆動ユニット２００の回転止めである。
【００５０】
次に、搬送駆動ユニット２００を筐体２にビスで締結し、搬送駆動ユニット２００が筐体２に支持される（図４参照）。締結方法については説明を省略する。その後、所定の順序（例えば、用紙の搬送経路に沿った順序）で、画像形成ユニット、定着ユニット、排出ユニット等が、一つ前に筐体２に支持されたユニットに位置決めされて、筐体２に締結される。全てのユニットが筐体２に支持された後、外周面が外装板やカバー板等で覆われる。
【００５１】
上記説明したように本発明の画像形成装置１においては、筐体２が、角パイプのみで形成された下枠体３と上枠体５とで構成されている。つまり、従来の筐体に使用される側板を省略できる。さらに、先行技術文献に記載されている画像形成装置のように、モールドフレームやベースが不要となる。したがって、筐体２を軽量化でき、画像形成装置１全体も軽量化できる。また、このように筐体２が軽量化されても、画像形成部の各ユニットが下枠体３及び上枠体５にビス締結されることで、筐体２の強度を高めることができる。
【００５２】
また、筐体２を角パイプで形成することにより、角パイプの平坦な外周面と各ユニットの平坦な取付面とが面接触するので、各ユニットを筐体２に安定して支持させることができる。
【００５３】
また、基準ユニット（搬送ユニット１００）と筐体２とは互いに位置決めされ、さらに、この基準ユニットに、次に筐体２に支持されるユニット（搬送駆動ユニット２００）が位置決めされる。このように、基準ユニット以降に筐体２に支持されるユニットは、直前に筐体２に支持されたユニットに対して順次位置決めされていくので、ユニット間の位置決め精度が高くなる。したがって、用紙を円滑に搬送して、位置ズレすることなく用紙に画像を形成することができる。なお、基準ユニット以降に筐体２に支持されるユニットを、それぞれ基準ユニットに対して位置決めするようにしてもよい。
【００５４】
また、本実施形態では、図１０Ａ及び図１０Ｂに示されるように、下枠体３の天井枠１５の前側の上梁１５Ｆと後側の上梁１５Ｒｒに、それぞれ前側の取っ手１６Ｆと後側の取っ手１６Ｒｒを引き出し可能に収容することができる。前側の上梁１５Ｆ及び後側の上梁１５Ｒｒは、前述のように角パイプで形成されている。前側の取っ手１６Ｆと後側の取っ手１６Ｒｒも、それぞれ角パイプで形成される。前側の取っ手１６Ｆは、前側の上梁１５Ｆの右端面の開口を通して前側の上梁１５Ｆに出し入れされ、後側の取っ手１６Ｒｒは、後側の上梁１５Ｒｒの右端面の開口を通して後側の上梁１５Ｒｒに出し入れされる。なお、前後の取っ手１６Ｆ及び１６Ｒｒと前後の上梁１５Ｆ及び１５Ｒｒには、各取っ手が引き出された際に抜け止めされるストッパー（図示省略）が形成されている。
【００５５】
このように、上下の枠体５及び３が角パイプで形成されているので、角パイプの中空部を利用して各取っ手を引き出し可能に収容することができる。なお、取っ手を引き出し可能に収容する収容部を角パイプで形成して、この角パイプを梁に固定してもよい。
【００５６】
次に、筐体２の下枠体３の組み立てに使用される冶具と、この冶具を使用した下枠体３の組立手順の一例について、図１１及び図１２を参照して説明する。図１１は冶具の一部を示す斜視図、図１２は冶具の断面図である。
【００５７】
図１１に示されるように、冶具５００は、垂直面を有する前後一対の縦板５０１及び５０３を有している。前側の縦板５０１を使用して、前右隅の支柱１１ＦＲと前側の上梁１５Ｆとが直交して溶接され、後側の縦板５０３を使用して、後右隅の支柱１１ＲＲと後側の上梁１５Ｒｒとが直交して溶接されるようになっている。
【００５８】
前側の縦板５０１の垂直面には、図１２にも示されるように、支柱１１ＦＲを位置決めするための支柱側クランプ５１１及び２本の位置決めピン５３１と、前側の上梁１５Ｆを位置決めするための梁側クランプ５１３と、が形成されている。２本の位置決めピン５３１は、搬送ユニット１００の位置決め部の２本のボス１３１に対応するように形成されている。支柱側クランプ５１１は、垂直方向に所定の間隔を開けて配置されている。梁側クランプ５１３は、水平方向に所定の間隔を開けて配置されている。
【００５９】
まず、前右隅の支柱１１ＦＲの原材料である角パイプＰ１に、搬送ユニット１００の位置決め部の２本のボス１３１に対応する２つの穴３１Ｐを開ける。この際、上側の穴３１Ｐは、ボス１３１の径よりも垂直方向に長い長穴とする。一方で、調整板６００を準備する。調整板６００には、搬送ユニット１００の上側のボス１３１に対応する位置決め用穴６３１と一番上の穴１３７に対応する締結用穴６３７が形成されている。そして、調整板６００の位置決め用穴６３１を、前側の縦板５０１の上側の位置決めピン５３１に通して、調整板６００を前側の縦板５０１に支持させる。
【００６０】
次に、支柱側クランプ５１１に角パイプＰ１を支持させると共に、角パイプＰ１の２つの穴３１Ｐを２本の位置決めピン５３１に通す。この際、上側の位置決めピン５３１は、調整板６００の位置決め用穴６３１を通って上側の穴３１Ｐ（長穴）に通される。また、調整板６００の締結用穴６３７が、上側の穴３１Ｐに連通する。このように角パイプＰ１が支持された後、角パイプＰ１の前側の面に調整板６００を溶接する。これにより、搬送ユニット１００の位置決め部の２本のボス１３１に対応する位置に、それぞれ穴３１が形成されることになる。
【００６１】
その後、梁側クランプ５１３に、後側の上梁１５Ｒｒの原材料である角パイプを支持させ、この角パイプの下面と支柱側クランプ５１１に支持された角パイプＰ１の上端面に溶接する。これにより、両角パイプＰ１及びＰ２が垂直に溶接される。
【００６２】
後側の縦板５０３においても、前側の縦板５０３と同様に、支柱側クランプと梁側クランプとによって、支柱１１ＲＲの原材料である角パイプと前側の上梁１５Ｆの原材料である角パイプとが直交するように位置決めされて互いに溶接される。
【００６３】
上記説明したように、冶具５００を使用することで、前右隅の支柱１１ＦＲの位置決め部（２つの穴３１）が高精度で形成される。したがって、基準ユニットである搬送ユニット１００を下枠体３に高精度で位置決めすることができる。画像形成部を形成する各ユニットは、この搬送ユニット１００を基準として順番に位置決めされていくので、全てのユニットの位置精度を高くすることができる。
【００６４】
なお、上記実施形態の説明は、本発明に係る画像形成装置における一態様を示すものであって、本発明の技術範囲は、上記実施形態に限定されるものではない。
【符号の説明】
【００６５】
１  画像形成装置
２  筐体
３  下枠体
５  上枠体
１５Ｆ、１５Ｒｒ  梁（角パイプ）
１６Ｆ、１６Ｒｒ  取っ手
１００  搬送ユニット（基準ユニット）
２００  搬送駆動ユニット
【図１】
2020042126.tif 000003
【図２】
2020042126.tif 000004
【図３】
2020042126.tif 000005
【図４】
2020042126.tif 000006
【図５Ａ】
2020042126.tif 000007
【図５Ｂ】
2020042126.tif 000008
【図６Ａ】
2020042126.tif 000009
【図６Ｂ】
2020042126.tif 000010
【図７】
2020042126.tif 000011
【図８】
2020042126.tif 000012
【図９】
2020042126.tif 000013
【図１０Ａ】
2020042126.tif 000014
【図１０Ｂ】
2020042126.tif 000015
【図１１】
2020042126.tif 000016
【図１２】
2020042126.tif 000017